(57)【要約】      （修正有）【課題】可変コード数を多く設定でき、かつ、他の解錠コードでの解錠がなされることのない信頼性の高いシリンダ錠を提供する。【解決手段】解錠キー２の解錠コード形成凹部３によりタンブラ挿入孔４内で位置決めされるタンブラ５を備えたプラグ６と、中間ピン挿入孔の経路長と同一長の中間ピン８を挿入した中間シリンダ９と、中間ピンが進退可能なドライバピン挿入孔１０内にドライバピン１１を中間シリンダ側に付勢して挿入するとともに、プラグとの接点位置に前記タンブラ挿入孔と連通可能なコード変更体収容部１２を形成したケース１３と、前記解錠コード形成凹部の最小段差に等しい高さ寸法を有し、コード変更体収容部とタンブラ挿入孔との間を移動操作してタンブラの実効長を変化させるコード変更体１４の適数と、中間シリンダのプラグあるいはケースに対するいずれか一方の回転境界円筒面のみを開放するモード選択機構１５で構成する。【選択図】図３
2005163289.tif 000002
【特許請求の範囲】
【請求項１】
長手通しに設けられたキー挿入孔に挿入された解錠キーの解錠コード形成凹部によりタンブラ挿入孔内での位置が決定されるタンブラを備えたプラグと、
プラグに外接して該プラグを回転自在に保持し、前記タンブラが進退可能な中間ピン挿入孔内に該中間ピン挿入孔の経路長と同一長の中間ピンを挿入した中間シリンダと、
中間シリンダを回転自在に保持し、中間ピンが進退可能なドライバピン挿入孔内にドライバピンを中間シリンダ側に付勢して挿入するとともに、プラグとの接点位置に前記タンブラ挿入孔と連通可能なコード変更体収容部を形成したケースと、
前記解錠コード形成凹部の最小段差に等しい高さ寸法を有し、コード変更体収容部とタンブラ挿入孔との間を移動操作してタンブラの実効長を変化させるコード変更体の適数と、
中間シリンダのプラグあるいはケースに対するいずれか一方の回転境界円筒面のみを開放するモード選択機構とを有するシリンダ錠。
【請求項２】
前記モード選択機構は、外方に向けて付勢されて解錠キーの挿入先端に対応して配置されるチェックピンと、
チェックピンに積層され、チェックピンによる付勢状態でケース側の端面が中間シリンダとケースとの回転境界円筒面に一致し、前記解錠キーの挿入先端に当接した状態でチェックピンとの境界が中間シリンダとプラグとの回転境界円筒面に一致するモード選択ピンとを有する請求項１記載のシリンダ錠。
【請求項３】
解錠キーの挿入後端に対応して、コード変更体が存在せずにコードチェンジ不能な固定コード部が配置される請求項１または２記載のシリンダ錠。
【発明の詳細な説明】
【技術分野】
【０００１】
本発明はシリンダ錠に関するものである。
【背景技術】
【０００２】
解錠コードが可変なシリンダ錠としては、特許文献１に記載されたものが知られている。この従来例において、シリンダ錠は、外周シリンダ（シリンダケース。以下、理解を容易にするために、本発明における対応部品の名称をかっこ内に示す。）内に中間シリンダを回転自在に挿入し、さらに、中間シリンダ内に内周シリンダ（プラグ）を回転自在に挿入して形成される。
【０００３】
外周シリンダには、ベース体（ドライバピン）が中心方向に付勢されて装着され、中間シリンダには、ブロック（中間ピン）が、内周シリンダには突出ピン（タンブラ）と、設定用スペーサ（コード変更体）とが各々収容される。通常の運用モードにおいては、中間シリンダとプラグとは回転方向に連結されて一体となっており、プラグ内に挿入された解錠キーの解錠コード形成凹部が予め予定されたものである場合には、タンブラ及び中間ピンはドライバピンへの付勢力に抗して中間ピンとドライバピンとの境界が中間シリンダの回転境界に一致する位置まで駆動され、シリンダ錠への回転操作が許容される。
【０００４】
また、外周シリンダと中間シリンダには、コードチェンジモードにおいてプラグを中間シリンダに対して相対回転させた際にプラグのタンブラ挿入孔に正対するコード変更体を収容する変更体収容部が設けられる。
【０００５】
シリンダ錠のコードチェンジは、解錠コード形成凹部間の最小段差に対応する厚みを有するコード変更体の適数をプラグのタンブラ挿入孔と変更体収容部との間で移動させることにより行われ、コード変更体がタンブラ挿入孔側に移動すると、プラグ内のタンブラが長くなったのと同一の状態となり、より深い解錠コード形成凹部が対応した場合にのみ中間ピンとドライバピンとの境界を外周シリンダとの回転境界に位置させることができるようになる。
【特許文献１】特許第２８９３６１４号公報
【発明の開示】
【発明が解決しようとする課題】
【０００６】
しかし、上述した従来例には、可変コード数を多く設定できないという問題がある。すなわち、上記従来例において、中間シリンダとプラグとが同心に形成されるために、プラグの半径は、中間シリンダの半径から中間ピンの長さを差し引いた値以上に設定することはできず、同一の大きさでシリンダ錠を構成しようとする場合には、プラグの外径が小さくなる。プラグの外径が小さくなると、挿入可能な解錠キーの高さも低くなり、当該高さを利用した解錠コード形成凹部の種類は少なくなる。
【０００７】
これを防止するためには、解錠コード形成凹部の最小段差を小さくすることが可能であるが、この場合には、誤差等の集積により異なった解錠コードでも解錠できる可能性が生じ、信頼性が低下する。
【０００８】
本発明は、以上の欠点を解消すべくなされたものであって、可変コード数を多く設定でき、かつ、他の解錠コードでの解錠がなされることのない信頼性の高いシリンダ錠の提供を目的とする。
【課題を解決するための手段】
【０００９】
本発明によれば上記目的は、
長手通しに設けられたキー挿入孔１に挿入された解錠キー２の解錠コード形成凹部３によりタンブラ挿入孔４内での位置が決定されるタンブラ５を備えたプラグ６と、
プラグ６に外接して該プラグ６を回転自在に保持し、前記タンブラ５が進退可能な中間ピン挿入孔７内に該中間ピン挿入孔７の経路長と同一長の中間ピン８を挿入した中間シリンダ９と、
中間シリンダ９を回転自在に保持し、中間ピン８が進退可能なドライバピン挿入孔１０内にドライバピン１１を中間シリンダ９側に付勢して挿入するとともに、プラグ６との接点位置に前記タンブラ挿入孔４と連通可能なコード変更体収容部１２を形成したケース１３と、
前記解錠コード形成凹部３の最小段差に等しい高さ寸法を有し、コード変更体収容部１２とタンブラ挿入孔４との間を移動操作してタンブラ５の実効長を変化させるコード変更体１４の適数と、
中間シリンダ９のプラグ６あるいはケース１３に対するいずれか一方の回転境界円筒面のみを開放するモード選択機構１５とを有するシリンダ錠を提供することにより達成される。
【００１０】
シリンダ錠は、ケース１３内で回転可能な中間シリンダ９と、中間シリンダ９内で回転可能なプラグ６とを有して構成され、２つの回転境界円筒面のいずれか一方を選択的に閉塞するモード選択機構１５は、通常運用時においては、プラグ６と中間シリンダ９との回転境界円筒面を閉塞してこれらプラグ６と中間シリンダ９とを回転方向に連結する。この状態でプラグ６のキー挿入孔１に解錠キー２を挿入すると、解錠キー２に形成された解錠コード形成凹部３によりタンブラ５、中間ピン８及びタンブラ挿入孔４内のコード変更体１４はケース１３側のドライバピン１１の付勢力に抗して外方に押し出される。
【００１１】
解錠コード形成凹部３が真正、すなわち、予め設定された種類の深さを有する場合には、上記各部材は中間ピン８とドライバピン１１との境界が中間シリンダ９のケース１３に対する回転境界円筒面に一致するまで駆動され、結果、プラグ６及びプラグ６と一体となった中間シリンダ９を回転操作することができる。
【００１２】
以上のように、ケース１３に対して中間シリンダ９及びプラグ６が回転可能か否かは、中間ピン８の長さが一定であるために、解錠キー２の解錠コード形成凹部３表面と中間ピン８までの長さ（タンブラ実効長）により一義的に決定され、タンブラ実効長は中間ピン８とタンブラ５との間に挿入されるコード変更体１４の数を変えることにより変化させることができる。コード変更体１４の高さ寸法は、上記解錠コード形成凹部３の最小段差に一致しており、１個のコード変更体１４を新たにプラグ６内に導入すると、タンブラ実効長は、１段分長くなるために、中間ピン８を回転可能位置に保持するためには、解錠コード形成凹部３を１段深いものに変更することが必要となり、このコード変更体１４のタンブラ挿入孔４内への導入、除去によるタンブラ実効長の変更操作がコードチェンジ操作に相当する。
【００１３】
コードチェンジは上記モード選択機構１５を操作してプラグ６の中間シリンダ９に対する相対回転操作を可能にした後、従来使用していた解錠キー２を使用してプラグ６を回転操作して行われる。このとき、中間ピン挿入孔７の経路長と同一長の中間ピン８は、ドライバピン１１との境界がケース１３との回転境界円筒面に一致する場合には、同時に他端がプラグ６と中間シリンダ９との回転境界円筒面に一致するために、プラグ６の中間シリンダ９に対する相対回転を規制しない。
【００１４】
コードチェンジ時にプラグ６は、タンブラ挿入孔４がケース１３側のコード変更体収容部１２に正対するまで回転操作され、この状態で解錠キー２をコードチェンジ後の新解錠キー２に変更し、解錠コード形成凹部３の変更に伴う段差をコード変更体１４により吸収すると、コードチェンジが完成する。
【００１５】
プラグ６と中間シリンダ９との回転境界円筒が、ケース１３と中間シリンダ９との回転境界円筒に内接する関係に設定される本発明において、プラグ６の直径は、最大で中間シリンダ９の直径から中間ピン８の長さを差し引いた値とすることが可能となる。この結果、従来は中間シリンダ９の直径から中間ピン８の長さの２倍を差し引いた直径までしか設定できなかったのに比して、プラグ６を太くすることが可能となるために、最小段差が十分大きく、かつ、段差の種類が多く設定した解錠キー２を使用することができ、信頼性の向上と、可変コード数の増加を実現できる。
【００１６】
また、モード選択機構１５は、外方に向けて付勢されて解錠キー２の挿入先端２ａに対応して配置されるチェックピン１６と、
チェックピン１６に積層され、チェックピン１６による付勢状態でケース１３側の端面が中間シリンダ９とケース１３との回転境界円筒面に一致し、前記解錠キー２の挿入先端２ａに当接した状態でチェックピン１６との境界が中間シリンダ９とプラグ６との回転境界円筒面に一致するモード選択ピン１７とを有するシリンダ錠を構成した場合には、新解錠キー２が不完全挿入の場合には、モード選択ピン１７はプラグ６の回転境界円筒面を閉塞するために、過ってコードチェンジをすることが完全に防止される。
【００１７】
さらに、解錠キー２の挿入後端に対応して、コード変更体１４が存在せずにコードチェンジ不能な固定コード部１８が配置されるように構成した場合には、コードチェンジ操作時の新解錠キー２の挿入がチェックされるために、異種キー等による過ったコードチェンジ操作が防止される。
【発明の効果】
【００１８】
本発明によれば、可変コード数を多く設定でき、かつ、他の解錠コードでの解錠がなされることのない信頼性の高いシリンダ錠を得ることができる。
【発明を実施するための最良の形態】
【００１９】
図１、２に示すように、シリンダ錠は、ケース１３内に中間シリンダ９とプラグ６とを挿入して形成される。ケース１３前端には、中間シリンダ９の回転角度規制を兼ねる庇部１３ａがプラグ６の前端面を一部覆うように設けられ、プラグ６の前端面と庇部１３ａには、図１（ａ）に示す中間シリンダ９の中立回転位置で対向するマーク１９が刻印される。
【００２０】
また、ケース１３には、上記中間シリンダ９が挿入される円筒形状のシリンダ挿入孔１３ｂが長手通しに開設され、シリンダ挿入孔１３ｂの中心に向かって複数のドライバピン挿入孔１０、１０・・が形成される。各ドライバピン挿入孔１０は、中心線が同一面に属するようにケース１３の長手方向に所定間隔で配置され、各ドライバピン挿入孔１０には、圧縮スプリング２０ａによりシリンダ挿入孔１３ｂの中心方向に付勢されてドライバピン１１が移動自在に挿入される。
【００２１】
さらに、ケース１３には、各ドライバピン挿入孔１０に対向するコード変更体収容部１２が形成され、各コード変更体収容部１２内には、圧縮スプリング２０ｂによりシリンダ挿入孔１３ｂの中心方向に付勢されてコード変更体用ドライバピン２１と、適数のコード変更体１４が収容される。
【００２２】
コード変更体１４は、解錠キー２に形成される解錠コード形成凹部３の最小段差に等しい厚さを有して円板状に形成される。このコード変更体１４は、上記コード変更体収容部１２と、コード変更体収容部１２に対応する後述するプラグ６のタンブラ挿入孔４とに分配される。コード変更体収容部１２と、対応するタンブラ挿入孔４とに分配されるコード変更体１４の総数は各対で同一（この実施の形態においては３個）であり、後述するように、分配は、解錠コード形成凹部３の種類により決定される。
【００２３】
以上のように構成される、コード変更体収容部１２と、対応するタンブラ挿入孔４の対のうち、最前列のものは、固定コード部１８としてコード変更体１４は割り当てられない。
【００２４】
上記中間シリンダ９には、図２（ｂ）に示すように、プラグ挿入孔９ａが開設される。プラグ挿入孔９ａは、中間シリンダ９に内接する円形断面形状を有し、図２（ｂ）に示す中立回転位置において、接点がケース１３のコード変更体収容部１２に対応する。この中間シリンダ９には、中立回転位置においてケース１３側のドライバピン挿入孔１０と一直線上に並ぶ中間ピン挿入孔７が各ドライバピン挿入孔１０に対応して形成され、各中間ピン挿入孔７内に中間ピン８が挿入される。中間ピン８は、中間ピン挿入孔７の経路長と同一長さに形成され、少なくとも、コード変更体１４の厚さより長寸に形成される。
【００２５】
上記プラグ挿入孔９ａ内に回転自在に挿入されるプラグ６には、長手通しにキー挿入孔１が形成され、このキー挿入孔１に連通するように、タンブラ挿入孔４が形成される。タンブラ挿入孔４は、中立回転位置において中間シリンダ９の中間ピン挿入孔７と一直線に並ぶ位置に各中間ピン挿入孔７に対応して形成され、各タンブラ挿入孔４内にタンブラ５と、上述したコード変更体１４の適数が挿入される。
【００２６】
以上のように構成されるシリンダ錠には、モード選択ピン１７とチェックピン１６とからなるモード選択機構１５が形成される。モード選択ピン１７とチェックピン１６とを収容するために、図２（ｃ）に示すように、中間シリンダ９の終端部には、モード選択ピン挿入孔９ｂが、プラグ６終端部には、中立回転位置でモード選択ピン挿入孔９ｂと一直線に並ぶチェックピン挿入孔６ａが設けられる。また、ケース１３には、中間シリンダ９を１８０°回転させた際にモード選択ピン挿入孔９ｂと一直線に並ぶチェックピン用ドライバピン挿入孔１３ｃが開設され、圧縮スプリング２０ｃにより中間シリンダ９方向に付勢されたチェックピン用ドライバピン２２が挿入される。
【００２７】
チェックピン１６は、チェックピン挿入孔６ａ内に収容される圧縮スプリング２０ｄにより外方に付勢されており、チェックピン１６により外方に押し出されるモード選択ピン１７は、外周側端部がケース１３のシリンダ挿入孔１３ｂの内周壁に当接する。ケース１３には、上記モード選択ピン１７を圧縮スプリング２０ｄの付勢力に抗してプラグ６側に押し下げる押下部１５ａがシリンダ錠外部から操作可能に配置される。上記モード選択ピン１７は、モード選択ピン挿入孔９ｂの経路長より短寸に形成され、チェックピン１６は、押下部１５ａによりキー挿入孔１内に挿入された解錠キー２の挿入先端２ａに当接するまで押し下げられた際に、モード選択ピン１７との境界がプラグ６の回転境界円筒面に一致する寸法に形成される。
【００２８】
次に、以上のように構成されるシリンダ錠の操作について説明する。まず、図２に示す運用モードでは、図２（ｃ）に示すように、チェックピン１６はプラグ６の中間シリンダ９に対する回転境界円筒面を閉塞する位置にあるために、プラグ６と中間シリンダ９とは回転方向に連結されて一体となって動作する。この状態で、中間シリンダ９に対する回転操作が許容されるか否かは、中間ピン８の位置により決定され、図２（ｂ）に示すように、解錠キー２を挿入しない状態、あるいは真正な解錠コード形成凹部３が対応しない場合には、中間ピン８はケース１３と中間シリンダ９との回転境界円筒面を閉塞するために、シリンダ錠に対する回転操作を行うことはできない。
【００２９】
これに対し、図３に示すように、真正な解錠キー２を挿入した場合には、全ての中間ピン８は、中間ピン挿入孔７内に完全に収容されて上記回転境界円筒面が開放されるために、中間シリンダ９と、プラグ６とを回転操作することができる。図１（ｂ）はこの状態で庇部１３ａにより規制される回転ストローク終端まで解錠キー２を回転させた状態を示す。
【００３０】
次に、シリンダ錠のコードチェンジを説明する。コードチェンジに際して、従来使用していた解錠キー２を挿入した状態で、まず、モード選択機構１５の押下部１５ａを押し下げてコードチェンジモードに移行させる。押下部１５ａの押し下げにより、図４（ａ）に示すように、チェックピン１６とモード選択ピン１７との境界がプラグ６の中間シリンダ９に対する回転境界面に一致するために、プラグ６を中間シリンダ９に対して相対回転させることができるようになる。この状態でプラグ６を１８０°回転させると、図４（ｂ）に示すように、プラグ６内のタンブラ挿入孔４がケース１３側のコード変更体収容部１２に正対する。図１（ｃ）にこの状態における正面図を示す。
【００３１】
この後、解錠キー２を抜去すると、図４（ｃ）に示すように、コード変更体用ドライバピン２１に押し上げられてタンブラ挿入孔４内にコード変更体１４が押し込まれ、コード変更体用ドライバピン２１のプラグ６側端部がプラグ６と中間シリンダ９との回転境界円筒面に一致する。
【００３２】
次いで、新解錠キー２を挿入すると、図５（ａ）に示すように、新解錠キー２に形成された解錠コード形成凹部３の深さに応じて、タンブラ挿入孔４からコード変更体１４がコード変更体収容部１２に押し出される。図５（ａ）は、図４（ｂ）の状態から２段差深い解錠コード形成凹部３を備えた解錠キー２を新解錠キー２とした場合に、コードチェンジ後には、タンブラ挿入孔４内には、２段差に対応して２個のコード変更体１４が導入された状態を示す。
【００３３】
コードチェンジは、挿入した新解錠キー２を使用して図５（ｂ）に示すように、初期位置にプラグ６を回転させることにより完了する。図４（ｃ）に示すコードチェンジモードでの解錠キー２を抜去した状態では、解錠キー２を使用することなくプラグ６への回転操作が可能であるために、例えば、新解錠キー２を不完全挿入した状態でもコードチェンジがなされるおそれがある。
【００３４】
上述した固定コード部１８は、当該固定コード部１８に対応する解錠コード形成凹部３を挿入後端に有しない解錠キー２を挿入したり、あるいは不完全挿入により解錠コード形成凹部３が対応しない場合には、プラグ６と中間シリンダ９との回転境界円筒面を閉塞して上記問題の発生を防止する。
【００３５】
また、チェックピン１６は、完全挿入された新解錠キー２の挿入先端２ａに当接した状態でのみプラグ６の回転境界円筒を開放し、それ以外では、図５（ｃ）に示すように、チェックピン用ドライバピン２２が回転境界円筒を閉塞するために、同様に上述した問題を防止する。
【図面の簡単な説明】
【００３６】
【図１】本発明を示す正面図で、（ａ）は中立回転位置、（ｂ）は運用モードで中間シリンダをフルストローク回転させた状態、（ｃ）はコードチェンジモードの途中を示す。
【図２】解錠キーが挿入されていない状態におけるシリンダ錠の内部を示す図で、（ａ）は図１（ａ）の２Ａ-２Ａ線断面図、（ｂ）は図２（ａ）の２Ｂ-２Ｂ線断面図、（ｃ）は図２（ａ）の２Ｃ-２Ｃ線断面図である。
【図３】解錠キーを挿入した状態を示す図で、（ａ）は図２（ａ）に対応する断面図、（ｂ）は図３（ａ）の３Ｂ-３Ｂ線断面図である。
【図４】コードチェンジモードの前半の手順を示す図で、（ａ）は押下部を押し下げてモードチェンジをした状態を示す図２（ｃ）に対応する断面図、（ｂ）はプラグを１８０°回転操作した状態を示す図３（ｂ）に対応する断面図、（ｃ）は解錠キーを抜去した状態を示す断面図である。
【図５】コードチェンジモードの後半の手順を示す図で、（ａ）は新解錠キーを挿入した状態を示す断面図、（ｂ）は中立回転位置まで復帰させてコードチェンジ動作を完了した状態を示す断面図、（ｃ）はチェックピンの動作を示す断面図である。
【符号の説明】
【００３７】
１        キー挿入孔
２        解錠キー
２ａ      挿入先端
３        解錠コード形成凹部
４        タンブラ挿入孔
５        タンブラ
６        プラグ
７        中間ピン挿入孔
８        中間ピン
９        中間シリンダ
１０      ドライバピン挿入孔
１１      ドライバピン
１２      コード変更体収容部
１３      ケース
１４      コード変更体
１５      モード選択機構
１６      チェックピン
１７      モード選択ピン
１８      固定コード部
【図１】
2005163289.tif 000003
【図２】
2005163289.tif 000004
【図３】
2005163289.tif 000005
【図４】
2005163289.tif 000006
【図５】
2005163289.tif 000007